(57)【要約】【課題】物品の入出庫の状況を効率的かつ正確に管理する。【解決手段】入出庫管理システムは、当該通信端末の位置情報を送受信する通信端末と、該通信端末が取り付けられた物品の入出庫状況を管理する情報管理サーバとを有する入出庫管理システムであって、前記通信端末は、当該通信端末の位置情報を前記情報管理サーバに通知する位置情報通知手段を有し、前記情報管理サーバは、前記通信端末からの前記位置情報を受信する位置情報受信手段と、前記位置情報による前記通信端末の位置に基づき前記物品の入出庫を判定し、複数の前記通信端末の位置関係に基づき前記物品の入出庫した人を判定する入出庫判定手段とを有する。【選択図】図１１
2014084177.tif 000002
【特許請求の範囲】
【請求項１】
当該通信端末の位置情報を送受信する通信端末と、該通信端末が取り付けられた物品の入出庫状況を管理する情報管理サーバとを有する入出庫管理システムであって、
前記通信端末は、
当該通信端末の位置情報を前記情報管理サーバに通知する位置情報通知手段を有し、
前記情報管理サーバは、
前記通信端末からの前記位置情報を受信する位置情報受信手段と、
前記位置情報による前記通信端末の位置に基づき前記物品の入出庫を判定し、複数の前記通信端末の位置関係に基づき前記物品の入出庫した人を判定する入出庫判定手段とを有する入出庫管理システム。
【請求項２】
前記入出庫判定手段は、
前記通信端末が所定の場所に移動した場合、前記通信端末が取り付けられた物品の入庫と判定し、
前記通信端末が前記所定の場所から移動した場合、前記通信端末が取り付けられた物品の出庫と判定する請求項１記載の入出庫管理システム。
【請求項３】
前記入出庫判定手段は、
複数の前記通信端末のうち一以上の通信端末と他の通信端末との位置が前記所定の場所で離れた場合、該所定の場所に位置する通信端末が取り付けられた物品を入庫された物品と判定し、前記所定の場所から移動した通信端末を前記物品を入庫した人が所有する前記通信端末と判定する請求項２記載の入出庫管理システム。
【請求項４】
前記入出庫判定手段は、
複数の前記通信端末のうち一以上の通信端末が所定の場所から移動し、他の通信端末が前記一以上の通信端末とともに移動した場合、前記所定の場所から移動した前記一以上の通信端末が取り付けられた物品を出庫された物品と判定し、前記他の通信端末を前記物品を出庫した人が所有する前記通信端末と判定する２又は３記載の入出庫管理システム。
【請求項５】
前記情報管理サーバは、
前記物品と、該物品を出庫する人と、前記所定の場所とを対応付けて記憶する入出庫情報記憶手段と、
前記出庫する人が前記所定の場所から一定の範囲内に位置すると、前記出庫する人が所有する通信端末に前記物品の存在を通知する出庫情報通知手段とを有する請求項２乃至４記載のいずれか一項に記載の入出庫管理システム。
【請求項６】
前記通信端末の前記位置情報は、前記通信端末に最も近い場所に位置する、自機が設置された場所の位置情報を配信する配信装置から配信された位置情報である請求項１乃至５のいずれか一項に記載の入出庫管理システム。
【請求項７】
前記配信装置から配信された位置情報は、地上補完信号を用いて配信された位置情報である請求項６記載の入出庫管理システム。
【請求項８】
当該通信端末の位置情報を送受信する通信端末が取り付けられた物品の入出庫状況を管理する情報管理サーバであって、
前記通信端末からの前記位置情報を受信する位置情報受信手段と、
前記位置情報による前記通信端末の位置に基づき前記物品の入出庫を判定し、複数の前記通信端末の位置関係に基づき前記物品の入出庫した人を判定する入出庫判定手段とを有する情報管理サーバ。
【請求項９】
当該通信端末の位置情報を送受信する通信端末が取り付けられた物品の入出庫状況を管理する入出庫状況管理方法であって、
前記通信端末からの前記位置情報を受信する位置情報受信手順と、
前記位置情報による前記通信端末の位置に基づき前記物品の入出庫を判定し、複数の前記通信端末の位置関係に基づき前記物品の入出庫した人を判定する入出庫判定手順とを有する入出庫状況管理方法。
【発明の詳細な説明】
【技術分野】
【０００１】
本発明は、入出庫管理システム、情報管理サーバ及び入出庫状況管理方法に関する。
【背景技術】
【０００２】
現在、物流の現場にＲＦＩＤ（Radio  Frequency  Identification）タグを用いたＲＦＩＤシステムが導入されている。これにより流通する物品のトレースや管理が容易になり、作業の効率化が図られている。
【０００３】
一方、特許文献１には、実存店舗の商品棚に陳列されている商品の在庫情報をリアルタイムで確認することを目的とした技術（在庫管理装置）が開示されている。具体的には、在庫管理装置は、消費者の通信端末からインターネットを経由して商品在庫問合せコマンドを受信したことに応じて、商品陳列場所にアンテナを配設してなるＲＦＩＤタグリーダを動作させ、商品陳列場所に置かれた各商品にそれぞれ付されているＲＦＩＤタグのデータを読み取らせる。次に、ＲＦＩＤタグリーダで読み取られたＲＦＩＤタグのデータから、コマンドにより問合せのあった商品の在庫有無を判別する。そして、在庫管理装置は、この判別結果をコマンド送信元の通信端末にインターネットを経由して応答する。
【発明の概要】
【発明が解決しようとする課題】
【０００４】
しかしながら、現在活用されているＲＦＩＤシステムや特許文献１に記載された技術では商品の在庫の有無や在庫の数量を管理できるが、物流に関する他の情報、例えば商品の入出荷した人に関する情報や出荷に関する条件（注意事項等）等は管理できない。仮に入出荷した人の情報等を管理する場合は、それらの情報を手入力せざるを得ず手間がかかる。そのため、商品の入荷から出荷までに関する物流の情報を網羅的かつ一元的に集約できていないという課題がある。
【０００５】
そこで、本発明は、上記の点に鑑みてなされたものであって、物品の入出庫の状況を効率的かつ正確に管理することを目的とする。
【課題を解決するための手段】
【０００６】
そこで上記課題を解決するため、入出庫管理システムは、当該通信端末の位置情報を送受信する通信端末と、該通信端末が取り付けられた物品の入出庫状況を管理する情報管理サーバとを有する入出庫管理システムであって、前記通信端末は、当該通信端末の位置情報を前記情報管理サーバに通知する位置情報通知手段を有し、前記情報管理サーバは、前記通信端末からの前記位置情報を受信する位置情報受信手段と、前記位置情報による前記通信端末の位置に基づき前記物品の入出庫を判定し、複数の前記通信端末の位置関係に基づき前記物品の入出庫した人を判定する入出庫判定手段とを有する。
【発明の効果】
【０００７】
本発明の実施の形態によれば、物品の入出庫の状況を効率的かつ正確に管理できる。
【図面の簡単な説明】
【０００８】
【図１】本発明の実施の形態における入出庫管理システムの構成の一例を示す図である。
【図２】本発明の実施の形態における通信端末のハードウェア構成の一例を示す図である。
【図３】本発明の実施の形態における位置情報のデータのフォーマットの一例を示す概念図である。
【図４】本発明の実施の形態における位置情報を含んだデータのデータ構造の一例を示す概念図である。
【図５】本発明の実施の形態における配信装置のハードウェア構成図の一例を示す図である。
【図６】本発明の実施の形態における配信装置が配信する位置情報の一例を示す概念図である。
【図７】本発明の実施の形態におけるゲートウェイ装置のハードウェア構成の一例を示す図である。
【図８】本発明の実施の形態における情報管理サーバのハードウェア構成の一例を示す図である。
【図９】本発明の実施の形態における携帯端末のハードウェア構成の一例を示す図である。
【図１０】本発明の実施の形態における配信装置及び通信端末の機能構成の一例を示す図である。
【図１１】本発明の実施の形態におけるゲートウェイ装置及び情報管理サーバの機能構成の一例を示す図である。
【図１２】本発明の実施の形態における情報管理サーバの位置情報記憶部に記憶される情報の一例を示す図である。
【図１３】本発明の実施の形態における情報管理サーバの保管場所情報記憶部に記憶される情報の一例を示す図である。
【図１４】本発明の実施の形態における情報管理サーバの入出庫情報記憶部に記憶される情報の一例を示す図である。
【図１５】本発明の実施の形態における入出庫管理画面の一例を示す図である。
【図１６】本発明の実施の形態における携帯端末の機能構成の一例を示す図である。
【図１７】本発明の実施の形態における入出庫管理システムの動作の一例を示すシーケンス図である。
【図１８】本発明の実施の形態における出庫情報の画面の一例を示す図である。
【図１９】本発明の実施の形態における情報管理サーバの入庫時の判定の処理手順の一例を示すフローチャート図である。
【図２０】本発明の実施の形態における情報管理サーバの出庫時の判定の処理手順の一例を示すフローチャート図である。
【発明を実施するための形態】
【０００９】
以下、本発明の実施の形態について、図面を用いて説明する。
[システム構成]
図１は、本発明の実施の形態における入出庫管理システム１のシステム構成の一例を示す図である。図１に示されるように、入出庫管理システム１は、通信端末５ａ、５ｂ、５ｃ、５ｄ、５ｅ、５ｆ、・・５ｎ（それぞれを区別しない場合は「通信端末５」という。）と、配信装置３ａ、３ｂ、３ｃ、３ｄ、・・・３ｎ（それぞれを区別しない場合は「配信装置３」という。）と、ゲートウェイ装置７と、情報管理サーバ９と、アクセスポイント８とを有する。通信端末５ｆは、携帯端末６に内蔵又は外部に取り付けられている。通信端末５と配信装置３とゲートウェイ装置７とは、例えばＩＥＥＥ８０２．１５．４規格のアーキテクチャモデルのうち物理層とＭＡＣ層を採用したＺｉｇＢｅｅ（登録商標）によるネットワーク８０１を介して通信可能に接続されている。この場合、日本、米国、欧州等の利用領域に応じて、配信装置３は、８００ＭＨｚ帯、９００ＭＨｚ帯又は２．４ＧＨｚ帯を利用し、隣接する他の配信装置３を経由して、ゲートウェイ装置７にデータを送信することができる。ゲートウェイ装置７と情報管理サーバ９とは、ＬＡＮ（Local  Area  Network）又はインターネット等のネットワーク８０２を介して、通信可能に接続されている。携帯端末６（通信端末５ｆ）と情報管理サーバ９とは、アクセスポイント８を介して、ＩＥＥＥ８０２．１１規格に準拠する無線ＬＡＮ等のネットワーク８０３を介して通信可能に接続されている。なお、ネットワーク８０１・８０２・８０３の通信方式は上記に限定されず、各装置間の通信が可能であれば、例えば移動通信網や近距離無線通信規格のＩＥＥＥ８０２．１５．１（Ｂｌｕｅｔｏｏｔｈ（登録商標））等であってもよい。
【００１０】
入出庫管理システム１は、通信端末５の位置情報を管理する情報管理サーバ９が、通信端末５が取り付けられた物品及び物品の入出庫を行う作業者等の位置情報を利用して、物品の入出庫状況を管理するシステムである。ここで、物品の入出庫状況とは、物品の名称、物品の入庫された場所、物品が入出庫された日時、物品を入出庫した人等に関する情報である。
【００１１】
配信装置３は、例えば室内の天井に設置された電気機器２ａ、２ｂ、２ｃ、２ｄ、・・・２ｎ（それぞれを区別しない場合は「電気機器２」という。）に内蔵されるか又はこれらの外部に取り付けられている。電気機器２は、配信装置３に対して電力を供給する。電気機器２は、例えば蛍光灯型ＬＥＤ(Light  Emitting  Diode)照明器具である。なお、電気機器２はＬＥＤ照明器具に限らず、例えば一般の蛍光灯や換気扇、スピーカ、監視カメラ、エアコン等であってもよい。配信装置３は、自機が固定された位置に対応する位置情報を所有し、その位置情報を無線信号により所定の範囲に対して連続的又は断続的に送信する。所定の範囲は、用いられる無線信号の信号強度及び送信アンテナの指向性等によって定められる。配信装置３は、位置の管理対象となる領域をカバーするように配置され、それぞれの領域が重複しないように構成される。あるいは重複する場合であっても、位置情報を受信する側において、受信電波の強度に基づいて、いずれか一つの配信装置３が決定できるように構成される。図１の例では、配信装置３の下方に示される円錐型の点線が、所定の範囲を表している。位置情報を送信する通信方式として、例えば地上補完信号ＩＭＥＳ（Indoor  Messaging  System）を用いることができる。また、配信装置３は通信端末５又はゲートウェイ装置７に対して位置情報以外のデータも送受信できる。
【００１２】
通信端末５は、それぞれ情報管理サーバ９によって位置が管理される管理対象物４ａ、４ｂ、４ｃ、４ｄ、４ｅ、・・・４ｎ（それぞれを区別しない場合は「管理対象物４」という。）に取り付けられている。通信端末５は、例えばＲＦＩＤタグである。管理対象物４ａ、４ｂ、４ｄ、４ｅ、４ｎは、例えば物品が梱包された段ボール等の箱であり、通信端末５が箱の表面に貼り付けられている。管理対象物４ｃは例えば社員証や入館証のようなＩＤカードであり、カードに通信端末５が内蔵されている。なお、本発明の実施の形態における管理対象物４は、段ボールやＩＤカードに限らず、例えば電子機器等の製品やそれを構成する部品等の物品そのものであってもよい。また管理対象物４は他に例えばコンテナ等であってもよい。通信端末５は、例えば配信装置３から送信される地上補完信号ＩＭＥＳ規格に準ずる測位信号を受信して、位置情報を取得する。そして、通信端末５は、ネットワーク８０１を介して、受信した位置情報を情報管理サーバ９に送信する。なお、通信端末５から送信される位置情報には、通信端末５を一意に識別する端末識別情報が含まれる。ここで端末識別情報とは、例えば通信端末５のＭＡＣ（Media  Access  Control）アドレスである。
【００１３】
ゲートウェイ装置７は、ネットワーク８０１とネットワーク８０２とを相互に接続し、一方のネットワークから送信されたデータを他方のネットワークにブリッジする。ゲートウェイ装置７は、例えば建物のフロア毎、または壁等で仕切られた部屋毎に設置される。ネットワーク８０１がＩＥＥＥ８０２．１５．４規格及びＺｉｇＢｅｅ（登録商標）によるネットワークであり、ネットワーク８０２がＩＥＥＥ８０２．３規格に準拠するＬＡＮである場合は、それらの間の通信方式の変換を行う。
【００１４】
情報管理サーバ９は、通信端末５の位置情報を管理する位置情報管理機能、通信端末５の位置情報に基づき管理対象物４の入出庫状況を管理する入出庫管理機能及び情報通信機能等を有する。
【００１５】
ここで、情報管理サーバ９による位置情報の管理方法の一例の概略を説明する。
【００１６】
本発明の実施の形態では、例えば、天井に設置されている配信装置３ａは、無線通信によりこの配信装置３ａが設置された位置を示す位置情報（Ｘａ）を配信する。これにより、通信端末５ａが位置情報Ｘａを受信する。
【００１７】
次に、通信端末５ａは、無線通信により配信装置３ａに、通信端末５ａを識別するための端末識別情報（Ａａ）と受信した位置情報Ｘａとを送信する。この場合、通信端末５ａは配信装置３ａから受け取った位置情報Ｘａを、配信装置３ａに送り返すことになる。これにより、配信装置３ａは、端末識別情報Ａａ及び位置情報Ｘａを受信する。
【００１８】
次に、配信装置３ａは、無線通信により、ゲートウェイ装置７に端末識別情報Ａａ及び位置情報Ｘａを送信する。
【００１９】
そして、ゲートウェイ装置７は、ネットワーク８０２を介して情報管理サーバ９へ端末識別情報Ａａ及び位置情報Ｘａを送信する。
【００２０】
情報管理サーバ９では、端末識別情報Ａａ及び位置情報Ｘａを管理することで、情報管理サーバ９の管理者は、通信端末５ａ（管理対象物４ａ）の屋内における位置を把握できる。
【００２１】
なお、通信端末３０は、位置情報を送信した配信装置３よりさらに近傍にゲートウェイ装置７が存在する場合には、位置情報等のデータをゲートウェイ装置７に送信してもよい。これにより、最短経路で識別情報と位置情報とを情報管理サーバ９に送信できる。
［システム動作概要］
本発明の実施の形態における入出庫管理システム１の動作概要を説明する。なお、本発明の実施の形態において、入出庫管理システム１が入出庫状況を管理する対象である通信端末５が取り付けられた（付された）管理対象物４を「物品」という。
【００２２】
（１）通信端末５は、物品と物品の出入庫を行う作業者等に付されている。通信端末５は、周期的（例えば３０秒周期）又は加速度センサーによる動作の検知を契機に行われる位置情報の受信処理により、配信装置３から定期的（例えば２０秒周期）に送信された位置情報を受信する。次いで、通信端末５は、情報管理サーバ９に受信した位置情報と通信端末５の端末識別情報とを無線ネットワーク８０１を介して送信する。情報管理サーバ９は、通信端末５の識別情報と位置情報とを対応付けてデータベースに記憶する。
【００２３】
（２）情報管理サーバ９は、周期的（例えば４０秒周期）に物品に付された通信端末５の位置情報及び作業者等が所有する通信端末５の位置情報に基づき、物品が入庫されたのか又は出庫されたのかを判定するとともに、入庫した人（入庫者）や出庫した人（出庫者）を特定し、入出庫情報として管理する。
【００２４】
（３）また、情報管理サーバ９は、入庫された物品を出庫する際に、予め定めた出庫する予定の者（以下、「出庫予定者」という。）が出庫対象の物品（が保管された場所）に近づくと、出庫予定者の所有する携帯端末６に出庫対象の存在及び出庫に関する情報を通知する。
【００２５】
上述した（１）及び（２）の処理は、それぞれ独立して動作しており、継続して繰り返し実行される。
【００２６】
以上の（１）〜（３）の動作により、入出庫管理システム１は、物品の入出庫及び入出庫に関連する入出庫者の情報等を管理できる。また、入出庫の作業誤りの発生を減らし、正確な在庫管理業務を実現する。
[ハードウェア構成]
＜通信端末＞
図２は、本発明の実施の形態における通信端末５のハードウェア構成の一例を示す図である。
【００２７】
図２に示されるように、通信端末５は、制御部１４及び無線通信部１５によって構成されている。
【００２８】
このうち、制御部１４は、制御部１４全体の動作を制御するＣＰＵ４０１、基本入出力プログラムを記憶したＲＯＭ４０２、ＣＰＵ４０１のワークエリアとして使用されるＲＡＭ４０３、配信装置３から配信される位置情報を受信する通信回路４０４及びアンテナ４０４ａ、加速度を検出する加速度センサ４０５、無線通信部１５と信号の送受信を行うＩ／Ｆ４０８、及び上記各部を電気的に接続するためのアドレスバスやデータバス等のバスライン４０９を備えている。また、制御部１４は、ボタン電池４０６も設けられており、このボタン電池４０６によって駆動される。なお、本発明の実施の形態では、ボタン電池４０６を使う場合について説明するが、ボタン型に限らず、単３もしくは単４等の乾電池又は通信端末５に専用の電池であってもよい。
【００２９】
通信回路４０４は、アンテナ４０４ａによって、ＩＭＥＳを利用して配信された位置情報を受信する。また、制御部１４は、コネクタ４０９ａを介して無線通信部１５に、ボタン電池４０６の電力を供給する。さらに、制御部１４は、Ｉ／Ｆ４０８からコネクタ４０９ｂを介して無線通信部１５とデータ（信号）の送受信を行う。
【００３０】
また、加速度センサ４０５は、通信端末５の加速度の変化を検出する。加速度の変化は、例えば、通信端末５が移動を開始した時、通信端末５が移動を停止した時又は通信端末５が傾いた時等に検出される。ＣＰＵ４０１の処理が停止中の場合、加速度センサ４０５が加速度の変化を検出すると、ＣＰＵ４０１へ処理を始動させるための信号を送信する。これにより、ＣＰＵ４０１は、自己の処理を始動させると共に、通信回路４０４に対して処理を始動させるための信号を送信する。よって、位置情報が配信装置３から配信されている場合、通信端末５の通信回路４０４は、アンテナ４０４ａを介して位置情報の受信を開始することができる。
【００３１】
一方、無線通信部１５は、上記無線通信部１３と基本的に同じ構成を有し、無線通信部１３と同じ帯域を利用して、配信装置３の無線通信部１３とデータの送受信を行うことができる。そして、無線通信部１５は、図２に示されるように、無線通信部１５全体の動作を制御するＣＰＵ５０１、基本入出力プログラム及び端末識別情報を記憶したＲＯＭ５０２、ＣＰＵ５０１のワークエリアとして使用されるＲＡＭ５０３、位置情報や端末識別情報を送信する通信回路５０４及びアンテナ５０４ａ、制御部１４と信号の送受信を行うＩ／Ｆ５０８、及び、上記各部を電気的に接続するためのアドレスバスやデータバス等のバスライン５０９を備えている。なお、無線通信部１５においても、ＺｉｇＢｅｅ（登録商標）を利用してもよい。
【００３２】
また、通信回路５０４は、ＣＰＵ５０１からの命令により、コネクタ４０９ｂを介して、制御部１４のＲＡＭ４０３に記憶されている位置情報を取得する。さらに、通信回路５０４は、ＲＯＭ５０２に記憶されている端末識別情報を読み出し、上記取得された位置情報と共にアンテナ５０４ａを介して配信装置３へ送信する。
【００３３】
また、通信回路５０４によって送信される位置情報のデータは、図３に示すようなフォーマットによって構成されている。なお、図３は、本発明の実施の形態における位置情報のデータのフォーマットの一例を示す概念図である。図３の例では、階数、緯度、経度、棟番号の各フィールドが、それぞれ９ビット、２１ビット、２１ビット、８ビットで表現され、各フィールドの表現形式はＩＭＥＳ規格に準ずる。実際にはこのフォーマットに加えて通信方式によって規定されるヘッダやチェックサム情報が付加され、図４に示されるように送信先、送信元、及びデータ内容（位置情報等）が含まれている。なお、図４は、本発明の実施の形態における位置情報を含んだデータのデータ構造の一例を示す概念図である。
【００３４】
＜配信装置＞
図５は、本発明の実施の形態における配信装置３のハードウェア構成の一例を示す図である。なお、図５の例は、配信装置３が内蔵される電気機器２がＬＥＤ照明器具の場合の蛍光灯型ＬＥＤランプのハードウェア構成図である。
【００３５】
図５に示されるように、ＬＥＤランプ１３０は、主に電源制御部１４０、リード線（１５１ａ、１５１ｂ）、端子ピン（１５２ａ１、１５２ａ２、１５２ｂ１、１５２ｂ２）、リード線１５３、リード線１５４、リード線１５５、及び配信装置３によって構成されている。このうち、電源制御部１４０は、電源１０００から出力される電流を制御し、主に、電流監視回路１４１及び平滑回路１４２によって構成されている。電流監視回路１４１は、電源１０００から出力される電流を入力して整流する。平滑回路１４２は、電流監視回路１４１によって整流された電流を平滑し、リード線（１５１ａ、１５１ｂ）を介して各端子ピン（１５２ａ１、１５２ａ２、１５２ｂ１、１５２ｂ２）に電力を供給する。
【００３６】
また、電源制御部１４０と端子ピン（１５２ａ１、１５２ａ２、１５２ｂ１、１５２ｂ２）は、リード線（１５１ａ、１５１ｂ）によって電気的に接続されている。電源制御部１４０と配信装置３は、リード線１５４によって電気的に接続されている。なお、ＬＥＤ１６０は、図５において一つだけ示しているが、実際には複数のＬＥＤが取り付けられている。また、図５に示される構成のうち配信装置３以外は一般のＬＥＤランプと同じ構成である。
【００３７】
配信装置３は、電圧変換器１００、リード線１５５、制御部１１、位置情報配信部１２、無線通信部１３によって構成されている。そして、電圧変換器１００がリード線１５５を介して、制御部１１、位置情報配信部１２及び無線通信部１３に電気的に接続されている。
【００３８】
このうち電圧変換器１００は、電源制御部１４０から供給された電力の電圧を、配信装置３の駆動電圧に変換し、制御部１１、位置情報配信部１２、及び無線通信部１３へ供給する電子部品である。
【００３９】
また、制御部１１は、制御部１１全体の動作を制御するＣＰＵ１０１、基本入出力プログラムを記憶したＲＯＭ１０２、ＣＰＵ１０１のワークエリアとして使用されるＲＡＭ１０３、位置情報配信部１２及び無線通信部１３とそれぞれ信号の送受信を行うＩ／Ｆ（１０８ａ、１０８ｂ）並びに上記各部を電気的に接続するためのアドレスバスやデータバス等のバスライン１０９を備えている。
【００４０】
また、位置情報配信部１２は、位置情報配信部１２全体の動作を制御するＣＰＵ２０１、基本入出力プログラム及び位置情報を記憶したＲＯＭ２０２、位置情報を配信する通信回路２０４及びアンテナ２０４ａ、制御部１１と信号の送受信を行うＩ／Ｆ２０８、並びに、上記各部を電気的に接続するためのアドレスバスやデータバス等のバスライン２０９を備えている。
【００４１】
このうち通信回路２０４は、屋内ＧＰＳと呼ばれる屋内測位技術の一つであるＩＭＥＳを利用し、アンテナ２０４ａによって位置情報を配信する。なお、図１には、位置情報の到達可能な範囲（配信可能な範囲）が仮想的に破線によって表されている。本発明の実施の形態のＩＭＥＳでは、例えば屋内の天井高が約３ｍの場合に、屋内の床に表された位置情報の到達可能な仮想円の半径が約５ｍとなるように、送信出力が設定される。但し、この送信出力の設定を変更すれば、５ｍよりも小さくすることも可能であり、大きくすることも可能である。
【００４２】
また、本発明の実施の形態において配信装置３が配信する位置情報は、蛍光灯型ＬＥＤ照明器具である電気機器２が設置された位置を示し、図６に示されるように、階数、緯度、経度、棟番号の項目を含む。なお、図６は、配信装置が配信する位置情報の概念図である。
【００４３】
このうち階数は、電気機器２（配信装置３）が設置される建物の階数を表す。緯度及び経度は、電気機器２（配信装置３）が設置された位置の緯度及び経度を表す。棟番号は、電気機器２（配信装置３）が設置された建物の棟番号を表す。図６に示される例では、電気機器２（配信装置３）は、ある建物のＣ棟の１６階で、緯度が北緯３５．４５９５５５度、経度が東経１３９．３８７１１０度の地点に設置されていることが示されている。なお、緯度は南緯、経度は西経により表されてもよい。
【００４４】
図５に戻り説明する。無線通信部１３は、無線通信部１３全体の動作を制御するＣＰＵ３０１、基本入出力プログラム及び装置識別情報を記憶したＲＯＭ３０２、ＣＰＵ３０１のワークエリアとして使用されるＲＡＭ３０３、位置情報や端末識別情報を受信してゲートウェイ装置７に送信する通信回路３０４及びアンテナ３０４ａ、制御部１１と信号の送受信を行うＩ／Ｆ３０８、及び、上記各部を電気的に接続するためのアドレスバスやデータバス等のバスライン３０９を備えている。
【００４５】
また、無線通信部１３は、９２０ＭＨｚ帯を利用してデータの送受信を行う。９２０ＭＨｚ帯は、電波到達性が高いため配信装置３とゲートウェイ装置７との間に建物の柱や壁が存在している場合であっても、配信装置３からゲートウェイ装置７にデータを送信することができるという効果を奏する。
【００４６】
さらに、通信回路３０４は、ＩＥＥＥ８０２．１５．４規格のアーキテクチャモデルのうち少なくとも物理層（レイヤ）の規格を利用し、アンテナ３０４ａによってデータの送受信を行う。また、この場合には、配信装置３（無線通信部１３）を識別するための装置識別情報として、ＭＡＣアドレスを用いることができる。
【００４７】
なお、通信回路３０４が用いる規格がＺｉｇＢｅｅ(登録商標)である場合は、隣接する他の配信装置３を経由して、ゲートウェイ装置７にデータを送信できる。このように他の配信装置３を経由してデータを送信するマルチホップ通信を利用すれば、各配信装置３の無線通信部１３は、ルーティング処理に時間が掛かるが、最寄りの配信装置３にデータが到達する程度の電力で通信すればよいため、省電力で駆動することができるというメリットがある。
【００４８】
また、配信装置３により配信される位置情報は、配信装置３の工場出荷前にメーカーによって記憶部２９に記憶されてもよいし、配信装置３の工場出荷後で天井に電気機器２が設置される際に設置者によって記憶されてもよい。さらに、位置情報は、情報管理サーバ９等の外部の装置から、ゲートウェイ装置７を介して無線通信により無線通信部１３の通信回路３０４が受信し、制御部１１を介して位置情報配信部１２のＲＯＭ２０２に記憶されるようにしてもよい。
【００４９】
＜ゲートウェイ装置＞
図７に示されるように、ゲートウェイ装置７は、無線通信部１７及び有線通信部１８によって構成されている。
【００５０】
このうち無線通信部１７は、上記無線通信部１３と基本的に同じ構成を有し、無線通信部１３と同じ帯域を利用して、配信装置３の無線通信部１３とデータの送受信を行うことができる。無線通信部１７は、図７に示されるように、無線通信部１７全体の動作を制御するＣＰＵ７０１、基本入出力プログラム及び装置識別情報を記憶したＲＯＭ７０２、ＣＰＵ７０１のワークエリアとして使用されるＲＡＭ７０３、位置情報等を送信する通信回路７０４及びアンテナ７０４ａ、有線通信部１８と信号の送受信を行うＩ／Ｆ７０８及び上記各部を電気的に接続するためのアドレスバスやデータバス等のバスライン７０９を備えている。また、無線通信部１７は、Ｉ／Ｆ７０８からコネクタ７０９ａを介して有線通信部１８と信号の送受信を行う。
【００５１】
なお、無線通信部１７においても、ＺｉｇＢｅｅ(登録商標)を利用してもよい。また、装置識別情報は、ゲートウェイ装置７（無線通信部１７）を識別するための固有の情報である。装置識別情報としては、例えば、ＭＡＣアドレスが挙げられる。
【００５２】
一方、有線通信部１８は、図７に示されるように、有線通信部１８全体の動作を制御するＣＰＵ８０１、基本入出力プログラム及びアドレス情報を記憶したＲＯＭ８０２、ＣＰＵ８０１のワークエリアとして使用されるＲＡＭ８０３、イーサネットコントローラ８０５、無線通信部１７と信号の送受信を行うＩ／Ｆ８０８ａ、ケーブル８０９を介しＬＡＮ８ｅに対しデータ（信号）の送受信を行うＩ／Ｆ８０８ｂ、及び、上記各部を電気的に接続するためのアドレスバスやデータバス等のバスライン８０９を備えている。
【００５３】
ここで、ＣＰＵ８０１及びイーサネットコントローラ８０５は、ＩＥＥＥ８０２．１５．４規格に準拠した通信方式（通信プロトコル）を、ＩＥＥＥ８０２．３規格に準拠した通信方式（通信プロトコル）に変換して、配信装置３から送られて来た各種データ（情報）を、イーサネット（登録商標）のパケット通信ができるように制御する。
【００５４】
さらに、アドレス情報は、ゲートウェイ装置７（有線通信部１８）を識別するための固有の情報である。アドレス情報としては、例えば、ＩＰ(Internet  Protocol  Address)アドレスが挙げられる。なお、ＲＯＭ８０２には、ＭＡＣアドレスも記憶されているが、情報管理サーバ９との通信を簡単に説明するため、その説明を省略する。
【００５５】
＜情報管理サーバ＞
図８は、本発明の実施の形態における情報管理サーバ９のハードウェア構成の一例を示した図である。
【００５６】
情報管理サーバ９は、コンピュータによって構成されている。そして、情報管理サーバ９は、情報管理サーバ９全体の動作を制御するＣＰＵ９０１、ＩＰＬ（Initial  Program  Loader）等のＣＰＵ９０１の駆動に用いられるプログラムを記憶したＲＯＭ９０２、ＣＰＵ９０１のワークエリアとして使用されるＲＡＭ９０３、情報管理サーバ９用のプログラム等の各種データやアドレス情報を記憶するＨＤ９０４、ＣＰＵ９０１の制御にしたがってＨＤ９０４に対する各種データの読み出し又は書き込みを制御するＨＤＤ９０５、フラッシュメモリ等の記録メディア９０６に対するデータの読み出し又は書き込み（記憶）を制御するメディアドライブ９０７、カーソル、メニュー、ウィンドウ、文字又は画像等の各種情報を表示するディスプレイ９０８、ネットワーク８０２及びネットワーク８０３を利用してデータ通信するためのネットワークＩ／Ｆ９０９、文字、数値、各種指示等の入力のための複数のキーを備えたキーボード９１１、各種指示の選択や実行、処理対象の選択、カーソルの移動等を行うマウス９１２、着脱可能な記録媒体の一例としてのＣＤ−ＲＯＭ９１３に対する各種データの読み出し又は書き込みを制御するＣＤ−ＲＯＭドライブ９１４、無線通信を行う通信回路９１５及びアンテナ９１５ａ、外部機器を接続するための外部機器Ｉ／Ｆ９１６並びに上記各構成要素を電気的に接続するためのアドレスバスやデータバス等のバスライン９１０を備えている。
【００５７】
さらに、アドレス情報は、情報管理サーバ９を識別するための固有の情報である。アドレス情報としては、ＩＰアドレスが挙げられる。なお、ＲＯＭ９０２には、ＭＡＣアドレスも記憶されているが、ゲートウェイ装置７との通信を簡単に説明するため、その説明を省略する。
【００５８】
また、ＨＤ９０４には、通信端末５の位置情報及び物品が保管される場所を示す位置情報及び物品の入出庫状況を示す情報等が記憶される。
【００５９】
＜携帯端末＞
図９は、本発明の実施の形態における携帯端末６のハードウェア構成の一例を示した図である。携帯端末６には通信端末５が外部に取り付けられている。但し、通信端末５が携帯端末６に内蔵されている構成でもよい。
【００６０】
図９に示されるように、携帯端末６は、携帯端末６全体の動作を制御するＣＰＵ６０１、基本入出力プログラムを記憶したＲＯＭ６０２、ＣＰＵ６０１のワークエリアとして使用されるＲＡＭ６０３、ＣＰＵ６０１の制御にしたがってデータの読み出し又は書き込みを行うＥＥＰＲＯＭ６０４、ＣＰＵ６０１の制御に従って被写体を撮像し画像データを得るＣＭＯＳ（Complementary  Metal  Oxide  Semiconductor）センサ６０５、地磁気を検知する電子磁気コンパスやジャイロコンパスや加速度センサ等の各種加速度・方位センサ６０６、フラッシュメモリ等の記録メディア６０７に対するデータの読み出し又は書き込み（記憶）を制御するメディアドライブ６０８を備えている。そして、メディアドライブ６０８の制御に従って、既に記録されていたデータが読み出され又は新たにデータが書き込まれて記憶する記録メディア６０７が着脱自在な構成となっている。
【００６１】
なお、ＥＥＰＲＯＭ６０４には、ＣＰＵ６０１が実行するオペレーティングシステム（ＯＳ）、その他のプログラム及び各種データが記憶されている。また、ＣＭＯＳセンサ６０５は、光を電荷に変換して被写体の画像を電子化する電荷結合素子であり、被写体を撮像することができれば、ＣＭＯＳセンサに限らず、ＣＣＤ（Charge  Coupled  Device）センサであってもよい。
【００６２】
さらに、携帯端末６は、音声を音声信号に変換する音声入力部６１１、音声信号を音声に変換する音声出力部６１２、アンテナ６１３ａ、このアンテナ６１３ａを利用して無線通信信号により、最寄りの基地局と通信を行う通信部６１３、アクセスポイント８とＩＥＥＥ８０２．１１規格に準拠する無線ＬＡＮ通信を行う無線ＬＡＮ通信部６１４、ＧＰＳ衛星からＧＰＳ信号を受信するＧＰＳ受信部６１５、被写体の画像や各種アイコン等を表示する液晶や有機ＥＬ等のディスプレイ６１６、このディスプレイ６１６上に載せられ、感圧式又は静電式のパネルによって構成され、指やタッチペン等によるタッチによってディスプレイ６１６上におけるタッチ位置を検出するタッチパネル６１７及び上記各部を電気的に接続するためのアドレスバスやデータバス等のバスライン６１０を備えている。また、携帯端末６は、専用の電池６１８も設けられており、この電池６１８によって駆動される。なお、音声入力部６１１は、音声を入力するマイクが含まれ、音声出力部６１２には、音声を出力するスピーカが含まれている。
[機能構成]
図１０は、本発明の実施の形態における配信装置３及び通信端末５の機能構成の一例を示す図である。
【００６３】
＜配信装置＞
まず配信装置３の機能構成を説明する。図１０に示されるように、配信装置３は、機能又は手段として、変換部１０、配信制御部２０、無線通信制御部３０を有している。このうち変換部１０は、図５に示される電圧変換器１００が動作することによって実現される機能又は手段である。
【００６４】
また、配信制御部２０は、図５に示される制御部１１及び位置情報配信部１２が動作することによって実現される機能又は手段である。さらに、無線通信制御部３０は、図５に示される制御部１１及び無線通信部１３が動作することによって実現される機能又は手段である。
【００６５】
配信制御部２０は、図５に示されるＲＯＭ２０２によって構築される記憶部２９を有している。この記憶部２９には、配信装置３が設置されている位置を示す位置情報が記憶されている。さらに、配信制御部２０は、配信部２１、通信部２７及び記憶・読出部２８を有している。
【００６６】
このうち配信部２１は、主に図５に示されるＣＰＵ２０１及び通信回路２０４の処理によって実現され、配信可能な範囲内に位置情報を配信する。
【００６７】
通信部２７は、主に、図５に示されるＣＰＵ１０１・２０１の処理、並びにＩ／Ｆ１０８ａ・２０８及びバス１０９・２０９によって実現され、無線通信制御部３０とのデータ（信号）の通信を行う。
【００６８】
記憶・読出部２８は、ＣＰＵ１０１・２０１の処理によって実現され、記憶部２９に各種データを記憶し、記憶部２９から各種データを読み出す。記憶・読出部２８は、例えば、位置情報のデータの記憶や読み出しを行う。
【００６９】
また、無線通信制御部３０は、図５に示されるＲＡＭ３０３によって構築される記憶部３９を有している。この記憶部３９には、アドレス情報（例えばＩＰアドレス）が記憶されている。
【００７０】
送受信部３１は、主に、図５に示されるＣＰＵ３０１及び通信回路３０４の処理によって実現され、無線通信によって、通信端末５又はゲートウェイ装置７と各種データの送受信を行う。
【００７１】
通信部３７は、主にＣＰＵ１０１・３０１の処理並びにＩ／Ｆ１０８Ｂ・３０８及びバス１０９・３０９によって実現され、配信制御部２０とのデータ（信号）の通信を行う。
【００７２】
記憶・読出部３８は、記憶部３９に各種データを記憶し、記憶部３９から各種データを読み出す。
【００７３】
＜通信端末＞
次に、通信端末５の機能構成を説明する。図１０に示されるように、通信端末５は、機能又は手段として、受信制御部４０及び無線通信制御部５０を有している。
【００７４】
受信制御部４０は、図２に示されるＲＡＭ４０３によって構築される記憶部４９を有している。この記憶部４９には、配信装置３から配信された位置情報を記憶できる。さらに、受信制御部４０は、受信部４１、検知部４２、判断部４３、測定部４４、通信部４７及び記憶・読出部４８を有している。
【００７５】
このうち受信部４１は、主に、図２に示されるＣＰＵ４０１及び通信回路４０４の処理によって実現され、配信装置３から配信された位置情報を受信する。また、受信部４１は、位置情報を受信可能な状態になったり受信不可能な状態になったりする。
【００７６】
検知部４２は、主に、図２に示されるＣＰＵ４０１及び加速度センサ４０５の処理によって実現され、通信端末５の移動（傾きを含む）を検知し、受信部４１に処理を開始させる。なお、検知部４２は、加速度センサ４０５に代えて、慣性力や磁気を用いたモーションセンサによって実現してもよい。
【００７７】
判断部４３は、主に、図２に示されるＣＰＵ４０１の処理によって実現され、受信部４１によって、少なくとも一つの位置情報を受信したかを判断する。さらに、判断部４３は、受信部４１によって、複数の配信装置３からそれぞれの位置情報を受信したかを判断する。なお、この場合、同じ配信装置３から配信された位置情報は、所定時間内に何度受信しても一つとして扱う。
【００７８】
測定部４４は、主に、図２に示されるＣＰＵ４０１の処理によって実現され、判断部４３によって、複数の配信装置３から、それぞれの位置情報を受信したと判断された場合には、それぞれの位置情報に係る信号強度を測定する。
【００７９】
通信部４７は、主に、図２に示されるＣＰＵ４０１の処理並びにＩ／Ｆ４０８及びバス４０９によって実現され、無線通信制御部５０とのデータ（信号）の通信を行う。
【００８０】
記憶・読出部４８は、ＣＰＵ４０１の処理によって実現され、記憶部４９に各種データを記憶し、記憶部４９から各種データを読み出す。記憶・抽出部４８は、例えば、位置情報Ｘのデータの記憶や読み出しを行う。
【００８１】
また、無線通信制御部５０は、図２に示されるＲＡＭ５０３によって構築される記憶部５９を有している。この記憶部５９には、上述の端末識別情報が記憶されている。さらに、無線通信制御部５０は、送受信部５１、判断部５３、測定部５４、通信部５７及び記憶・読出部５８を有している。
【００８２】
送受信部５１は、主に、図２に示されるＣＰＵ５０１及び通信回路５０４の処理によって実現され、無線通信により、配信装置３と各種データの送受信を行う。
【００８３】
判断部５３は、主に、図２に示されるＣＰＵ５０１の処理によって実現され、受信部５１によって、少なくとも一つの配信装置３の装置識別情報を受信したかを判断する。さらに、判断部５３は、受信部５１によって、複数の配信装置３からそれぞれの装置識別情報を受信したかを判断する。なお、この場合、同じ配信装置３から送信された装置識別情報は、所定時間内に何度受信しても一つとして扱う。
【００８４】
測定部５４は、主に、図２に示されるＣＰＵ５０１の処理によって実現され、判断部５３によって、複数の配信装置３から送信されたそれぞれの装置識別情報を受信したと判断された場合には、それぞれの装置識別情報に係る信号強度を測定する。
【００８５】
通信部５７は、主に、図２に示されるＣＰＵ５０１の処理並びにＩ／Ｆ５０８及びバス５０９によって実現され、受信制御部４０とのデータ（信号）の通信を行う。
【００８６】
記憶・読出部５８は、主に、図２に示されるＣＰＵ５０１の処理によって実現され、記憶部５９に各種データを記憶し、記憶部５９から各種データを読み出す。記憶・抽出部５８は、例えば、配信装置３の装置識別情報や通信端末５の端末識別情報のデータの記憶や読み出しを行う。
【００８７】
図１１は、本発明の実施の形態におけるゲートウェイ装置７及び情報管理サーバ９の機能構成の一例を示す図である。
【００８８】
＜ゲートウェイ装置＞
ゲートウェイ装置７の機能構成を説明する。ゲートウェイ装置７は、機能又は手段として、無線通信制御部７０及び有線通信制御部８０を有している。
【００８９】
無線通信制御部７０は、図１１に示されている無線通信部１７の処理によって実現され、基本的に配信装置３の無線通信制御部３０と同様の機能を有している。
【００９０】
具体的には、無線通信制御部７０は、図１１に示されているＲＡＭ７０３によって構築される記憶部７９を有している。この記憶部７９には、ゲートウェイ装置７のアドレス情報（例えばＩＰアドレス）が記憶されている。また、無線通信制御部７０は、送受信部７１、通信部７７及び記憶・読出部７８を有している。
【００９１】
このうち送受信部７１は、主に、図１１に示されているＣＰＵ７０１及び通信回路７０４の処理によって実現され、無線通信によって、配信装置３と各種データの送受信を行う。
【００９２】
通信部７７は、主にＣＰＵ７０１の処理、並びに、Ｉ／Ｆ７０８及びバス７０９によって実現され、有線通信制御部８０とのデータ（信号）の通信を行う。
【００９３】
記憶・読出部７８は、主にＣＰＵ８０１の処理によって実現され、記憶部７９に各種データを記憶し、記憶部７９から各種データを読み出す。
【００９４】
また、有線通信制御部８０は、図１１に示されている有線通信部１８の処理によって実現される。この有線通信制御部８０は、図１１に示されているＲＡＭ８０３によって構築される記憶部８９を有している。この記憶部８９には、ゲートウェイ装置７の装置識別情報（例えばＭＡＣアドレス）が記憶されている。さらに、有線通信制御部８０は、送受信部８１、変換部８２、通信部８７及び記憶・読出部８８を有している。
【００９５】
このうち送受信部８１は、主に図１１に示されているＣＰＵ８０１の処理及びＩ／Ｆ８０８ｂによって実現され、有線通信によって、情報管理サーバ９と各種データの送受信を行う。
【００９６】
変換部８２は、図１１に示されているＣＰＵ８０１及びイーサネットコントローラ８０５の処理によって実現される。変換部８２は、上述したように通信方式を変換することで、配信装置３から送られて来た各種データ（情報）を、イーサネット（登録商標）のパケット通信ができるように制御する。
【００９７】
通信部８７は、主にＣＰＵ８０１の処理並びにＩ／Ｆ８０８ａ及びバス８０９によって実現され、無線通信制御部７０とのデータ（信号）の通信を行う。
【００９８】
記憶・読出部９８は、主にＣＰＵ８０１の処理によって実現され、記憶部８９に各種データを記憶し、記憶部８９から各種データを読み出す。
【００９９】
＜情報管理サーバ＞
次に、情報管理サーバ９の機能構成を説明する。
【０１００】
情報管理サーバ９は、入出庫判定部９０、送受信部９１、操作入力受付部９２、検索部９３、表示制御部９４、出庫管理画面生成部９５、入出庫情報生成部９６、出庫情報送信部９７、記憶・読出部９８及び記憶部９９を有する。
【０１０１】
記憶部９９は図８に示されるＲＡＭ９０３及びＨＤ９０４によって構築され、位置情報記憶部９９１、保管場所情報記憶部９９２及び入出庫情報記憶部９９３が含まれる。また、記憶部９９には情報管理サーバ９のアドレス情報（例えばＩＰアドレス）やＭＡＣアドレスといった識別情報等も記憶されている。
【０１０２】
位置情報記憶部９９１は、通信端末５から送信される位置情報等を記憶する。
【０１０３】
図１２は、本発明の実施の形態における情報管理サーバの位置情報記憶部９９１に記憶される情報の一例を示す図である。図１２に示されるように、位置情報記憶部９９１には「管理ＩＤ」、「端末識別情報」、「管理対象種別」、「端末所有者名（管理者名）」、「最新位置情報」及び「過去位置情報」が含まれる。「管理ＩＤ」は位置情報記憶部９９１において通信端末５とその位置情報とを一意に識別するための管理番号である。「端末識別情報」は通信端末５を識別するための情報であり、例えば通信端末５のＭＡＣアドレスである。「管理対象種別」は例えば、通信端末５が付されている管理対象物４の名称（物品の名称）、通信端末５が外部に装着されたり内蔵されたりしている携帯端末６やＩＤカード等の名称又は通信端末５本体の名称である。「端末所有者名（管理者名）」は通信端末５の所有者又は管理者の名称であり、例えば管理をしている組織、部署名の場合もある。「最新位置情報」及び「過去位置情報」は通信端末５から送信された位置情報であり、図６に示された情報である。「最新位置情報」及び「過去位置情報」には、「緯度」、「経度」、「階数」、「棟」及び「受信日時」が含まれる。「受信日時」は、情報管理サーバ９がゲートウェイ装置７から位置情報等を受信した受信日時である。「最新位置情報」は位置情報記憶部９９１において受信日時が最新である位置情報である。「過去位置情報」は前回受信した位置情報であり、位置情報記憶部９９１において二番目に新しい受信日時の位置情報である。なお、図１２の例では位置情報記憶部９９１に記憶される過去位置情報は、前回受信した過去一回分の位置情報が記憶されているが、記憶する過去の位置情報は一回分に限らず、情報管理サーバ９の記憶容量（ＲＡＭ９０３やＨＤ９０４等）に応じて複数回の過去の位置情報を記憶してもよい。本発明の実施の形態において、情報管理サーバ９は「過去位置情報」と「最新位置情報」との位置の変化、すなわち通信端末５の移動の有無等の情報等に基づき、物品の入出庫状況を管理する。また、「端末識別情報、「管理対象種別」及び「端末所有者名（管理者名）」は、予め情報管理サーバ９においてそれぞれが関連付けられ管理されている。情報管理サーバ９は、ゲートウェイ装置７から位置情報及び端末識別情報を受信することによって、位置情報記憶部９９１における同じ端末識別情報を含むレコード部分に、位置情報及び受信日時を追加する。さらに、情報管理サーバ９は、既に位置情報及び受信日時を管理している状態で、新たにゲートウェイ装置７から位置情報及び端末識別情報を受信した場合には、既に管理していた最新の位置情報及び受信日時を過去位置情報として上書きし、受信した位置情報を最新位置情報として記憶する。
【０１０４】
図１１に戻り説明する。保管場所情報記憶部９９２は、情報管理サーバ９により位置情報が管理される通信端末５が付された物品が入庫され保管される場所（以下、「物品保管場所」という。）を、位置情報に基づき記憶する。
【０１０５】
図１３は、本発明の実施の形態における情報管理サーバの保管場所情報記憶部９９２に記憶される情報の一例を示す図である。図１３に示されるように、位置情報記憶部９９２には「場所ＩＤ」、「物品保管場所名称」、「緯度，経度」、「階数」、「棟」及び「出庫通知範囲」が含まれる。「管理ＩＤ」は保管場所情報記憶部９９２において物品の保管場所及びその位置情報を一意に識別するための管理番号である。「物品保管場所名称」は物品保管場所の名称であり、入出庫管理システム１の管理者等により任意に設定、変更できる情報である。「緯度，経度」は物品保管場所に対応する緯度及び経度である。「緯度，経度」は例えば物品保管場所が棚であったり、一定の広さの居室であったりといった物品保管場所の範囲（広さ）に応じて複数設定できる。「緯度，経度」は例えば物品保管場所内に設置された配信装置３に対応する緯度・経度が設定される。なお、物品保管場所の位置を位置情報に基づき定義するにあたり、例えば部屋の四隅に対応する四点の緯度・経度に囲まれた領域を保管場所情報記憶部９９２の「緯度，経度」に設定してもよい。「階数」は物品保管場所の建物内の階数である。「棟」は物品保管場所の存在する棟の名称である。「出庫情報通知範囲」は予め定められた物品の出庫予定者に対して、出庫する物品に関する情報（以下、「出庫情報」という。）を出庫予定者の携帯端末６（通信端末５）に通知するための範囲（位置）であり、（緯度，経度）により定められる。出庫情報には例えば出庫対象の物品の物品名や物品保管場所名称、出庫予定者に対する連絡事項等が含まれる。図１３の例では場所ＩＤ「１」に対応する出庫情報通知範囲は、「Ｘ」棟、「２」階における（緯度，経度）が（３５．６６６２９，１３９．７６５２０）、（３５．６６６２９，１３９．７６５２１）、（３５．６６６３１，１３９．７６５２０）、（３５．６６６３１，１３９．７６５２１）の位置であるから、出庫予定者がそのうちの一つの位置（３５．６６６２９，１３９．７６５２０）に移動すると、情報管理サーバ９から出庫予定者の所有する携帯端末６（通信端末５）に出庫情報が通知される。
【０１０６】
図１１に戻り説明する。入出庫情報記憶部９９３は、情報管理サーバ９により位置情報が管理される通信端末５が付された物品の入出庫に関する情報を記憶する。
【０１０７】
図１４は、本発明の実施の形態における情報管理サーバの入出庫情報記憶部９９３に記憶される情報の一例を示す図である。図１４に示されるように、入出庫情報記憶部９９３には「管理ＩＤ」、「端末識別情報」、「物品名」、「入庫場所名称（物品保管場所名称）」、「入庫日時」、「入庫者」、「出庫日時」、「出庫予定者」、「出庫者」及び「出庫情報コメント」が含まれる。「管理ＩＤ」は入出庫情報記憶部９９３において通信端末５とその位置情報とを一意に識別するための管理番号である。「端末識別情報」は物品に付された通信端末５の識別情報であり、例えば通信端末５のＭＡＣアドレスである。「物品名」は例えば、通信端末５が付されている管理対象物４の名称である。「物品名」は、図１２に示される「管理対象種別」と同じ名称であってもよく、[端末識別情報]と対応付けられて記憶される。「入庫場所名称（物品保管場所名称）」は、物品が実際に入庫された場所の名称であり、図１３に示される「物品保管場所名称」と同じ場所（位置）であれば同じ名称となる。「入庫日時」は、実際に物品が物品保管場所に入庫された日時であり、物品に付された通信端末５から送信される位置情報の受信日時が記憶される。「入庫者」は、物品を実際に物品保管場所に入庫した人の名称であり、図１２に示される「端末所有者名（管理者名）」である。「出庫日時」は、実際に物品が物品保管場所から出庫された日時であり、物品に付された通信端末５から送信される位置情報の受信日時が記憶される。「出庫予定者」は、物品毎に予め定められた出庫する人の名称である。なお、「出庫予定者」は、個々の物品毎に割り当てる場合に限らず、例えば物品名毎や物品保管場所毎、他の分類、それぞれの組合せにより出庫予定者を割り当ててもよい。「出庫者」は、物品を実際に物品保管場所から出庫した人の名称であり、図１２に示される「端末所有者名（管理者名）」である。ゆえに「出庫予定者」と「出庫者」が異なる場合もあり得る。「出庫情報コメント」は、出庫予定者に通知される出庫情報に含まれるコメント（メッセージ）であり、自由記述できる情報である。なお、「入庫者」及び「出庫者」の項目は、例えば入庫又は出庫した者が通信端末５を所有していない場合は入出庫者の名称は特定できないため、空白の場合がある。
【０１０８】
図１１に戻り説明する。
【０１０９】
送受信部９１は、図８に示されるＣＰＵ９０１の処理並びにネットワークＩ／Ｆ９０９又は通信回路９１５によって実現され、有線通信又は無線通信によって、ゲートウェイ装置７と各種データの送受信を行う。
【０１１０】
操作入力受付部９２は、ＣＰＵ９０１の処理並びにキーボード９１１及びマウス９１２によって実現され、管理者から各種の選択又は入力を受け付ける。
【０１１１】
検索部９３は、ＣＰＵ９０１の処理によって実現され、操作入力受付部９２によって受け付けられた検索条件に基づいて、記憶・読出部９８を介して位置情報記憶部９９１を検索し、検索結果を出力する。
【０１１２】
表示制御部９４は、ＣＰＵ９０１の処理によって実現され、ディスプレイ９０８に各種画像や文字等を表示させるための制御を行う。
【０１１３】
記憶・読出部９８は、主にＣＰＵ９０１の処理によって実現され、記憶部９９に各種データを記憶し、記憶部９９から各種データを読み出す。
【０１１４】
入出庫判定部９０は、物品に付された通信端末５の位置情報が所定の範囲内（物品保管場所）に存在の有無に基づき、物品の入出庫を判定する。また、入出庫判定部９０は、物品に付された通信端末５の位置情報と他の通信端末５の位置情報との位置関係に基づき、その物品の入庫者又は出庫者を判定する。なお、入出庫判定部９０が実行する詳細な処理内容は図１９及び図２０を用いて後述する。
【０１１５】
入出庫管理画面生成部９５は、入出庫情報記憶部９９３に記憶された情報に基づき、物品の入出庫状況が示される入出庫情報管理画面を生成する。入出庫管理画面生成部９５は入出庫情報管理画面を、例えばＨＴＭＬ（Hyper  Text  Markup  Language）、ＤＨＴＭＬ（Dynamic  HTML）、ＸＭＬ（Extensible  Markup Language）等の言語を用いて生成する。生成された入出庫管理画面は表示制御部９４を介してディスプレイ９０８に表示される。
【０１１６】
図１５は、本発明の実施の形態における入出庫情報管理画面の一例を示す図である。図１５に示されるように、入出庫情報管理画面には、「管理ＩＤ」、「入庫場所」、「物品名」、「入庫者」、「入庫数量」、「出庫予定者」、「出庫予定数量」、「出庫者」、「出庫数量」及び「出庫情報コメント」等が含まれる。入出庫情報管理画面に含まれる情報は、入出庫画面生成部９５によって、図１４に示される入出庫情報記憶部９９３に記憶される情報に基づき引用や集計の処理がされた情報である。「管理ＩＤ」は入出庫管理画面において情報を一意に識別するために用いられる管理番号である。「入庫場所」は物品保管場所である。「物品名」は物品の名称である。「入庫者」は実際に物品を入庫した人の名前である。「入庫数量」はある入庫場所におけるある物品が入庫されている数量である。「入庫数量」は、たとえば入出庫情報記憶部９９３に記憶される物品保管場所及び物品名毎に物品名の数が集計された値である。「出庫予定者」を予め定められた物品を出庫する人の名前である。「出庫予定数量」は、出庫する予定の物品の数量である。「出庫者」は実際に物品を出庫した人の名前である。「出庫数量」は実際に入庫場所名称（物品保管場所名称）から出庫された物品の数量である。「出庫情報コメント」は出庫予定者に通知される出庫情報に含まれる自由記述のコメントである。なお、「出庫予定者」、「出庫予定数量」及び「出庫情報コメント」は、入出庫管理システム１の管理者等により入出庫情報管理画面を用いて入力される情報である。なお、入出庫情報管理画面に表示される情報は、図１５に示される項目に限らず、例えば入出庫情報記憶手段９９３に記憶される入出庫日時が含まれてもよい。また、入出庫情報管理画面を用いて入力される情報には出庫予定日や出庫先等の情報が含まれてもよい。また、図１５の例では、「入庫場所」を基準（キー）に情報が表示されているが、入出庫情報管理画面の様式はこれに限らず、例えば「出庫予定者」を基準に表示するようにしてもよい。
【０１１７】
図１１に戻り説明する。
【０１１８】
出庫情報生成部９６は、出庫予定者に通知する出庫する物品に関する出庫情報を生成する。出庫情報生成部９６は出庫情報を、例えばＨＴＭＬ形式の言語を用いて生成する。
【０１１９】
出庫情報送信部９７は、出庫情報生成部９６により生成された出庫情報を、アクセスポイント８を介して無線ＬＡＮにより出庫予定者の所有する携帯端末６（通信端末５）に送信する。携帯端末６への出庫情報の送信方法は、例えば出庫予定者の携帯端末６が保有するメールアドレスを情報管理サーバ９において予め登録しておきそのメールアドレス宛に送信したり、携帯端末６用の入出庫情報管理アプリを作成しそのアプリがインストールされている場合は携帯端末６に対してプッシュ通信をしたりしてもよい。
【０１２０】
＜携帯装置＞
携帯端末６の機能構成を説明する。
【０１２１】
図１６は、本発明の実施の形態における携帯端末６の機能構成の一例を示す図である。図１６に示されるように、携帯端末６は、機能又は手段として、出庫情報受信部６１、操作入力受付部６２、表示制御部６４、記憶・読出部６８及び記憶部６９を有する。
【０１２２】
出庫情報受信部６１は、無線ＬＡＮ通信部６１４を制御し、ネットワーク８０３（アクセスポイント８）を介し、情報管理サーバ９から送信される出庫情報を受信する。出庫情報受信部６１は、出庫情報を受信すると、記憶・読出部６８を介して、記憶部６９に出庫情報を記憶する。また、出庫情報受信部６１は、表示制御部６４に出庫情報の表示処理の実行を要求する。
【０１２３】
操作入力受付部６２は、ＣＰＵ６０１の処理並びにタッチパネル６１６によって実現され、携帯端末６のユーザから各種の選択又は入力を受け付ける。
【０１２４】
表示制御部６４は、ＣＰＵ６０１の処理によって実現され、ディスプレイ６１５に各種画像や文字等を表示させるための制御を行う。
【０１２５】
記憶・読出部６８は、主にＣＰＵ６０１の処理によって実現され、記憶部６９に各種データを記憶し、記憶部６９から各種データを読み出す。
【０１２６】
記憶部６９は、ＲＯＭ６０２、ＲＡＭ６０３、ＥＥＰＲＯＭ６０４等により構成され、各種データを記憶する。本発明の実施の形態において受信した出庫情報を記憶する。
【０１２７】
なお、本発明の実施の形態において携帯端末６には通信端末５が外付け又は内蔵されており、その場合、図１０に示す通信端末５の機能構成を有する。但し、本発明の実施の形態では、携帯端末６は出庫予定者によって所有され、出庫情報を表示する装置として機能することから、例えば出庫予定者が通信端末５を内蔵したＩＤカードを所持し、携帯端末６には通信端末５が外付け又は内蔵されていないような構成であってもよい。
[動作手順]
本発明の実施の形態における入出庫管理システム１の動作手順を説明する。
【０１２８】
図１７は、本発明の実施の形態において入出庫管理システム１の動作手順を示すシーケンス図の一例である。
【０１２９】
入出庫管理システム１における動作は、位置情報の更新処理と、出庫情報の通知処理と入出庫状況の更新処理とに大別され、それぞれについて説明する。
【０１３０】
《位置情報の更新処理》
Ｓ１１：配信装置３の配信制御部２０は、記憶部２９から取得した位置情報をＩＭＥＳ等により連続的又は断続的に送信する。
【０１３１】
Ｓ１２：通信端末５の受信制御部４０は、周期的（例えば３０秒周期）に行われる位置情報の受信処理により、配信装置３から送信される位置情報を受信する。なお、通信端末５が加速度センサを備えている場合は、加速度の変化の検知を契機に位置情報を受信してもよい。
【０１３２】
Ｓ１３：受信制御部４０は、受信した位置情報を、記憶部４９に記憶する。
【０１３３】
Ｓ１４：通信端末５の無線通信制御部５０は、記憶部５９から取得した端末識別情報（例えば通信端末５のＭＡＣアドレス）と記憶部４９に記憶した位置情報とを含む位置情報更新要求を配信装置３に送信する。通信端末５からの位置情報更新要求を情報管理サーバ９が受信すると、情報管理サーバ９の位置情報記憶部９９１の情報が更新される。
【０１３４】
Ｓ１５：配信装置３の無線通信制御部３０の送受信部３１は、位置情報更新要求をＩＥＥＥ８０２．１５．４規格に準拠した通信方式を用いてゲートウェイ装置７０に転送する。
【０１３５】
Ｓ１６：ゲートウェイ装置７の無線通信制御部７０の送受信部７１が配信装置３から送信された位置情報更新要求を受信すると、有線通信制御部８０の変換部８２は、ＩＥＥＥ８０２．１５．４規格に準拠した通信方式を、ネットワーク８０２に適合するＩＥＥＥ８０２．３規格に準拠した通信方式に変換しする。
【０１３６】
Ｓ１７：有線通信制御部８０の送受信部８１は、情報管理サーバ９に位置情報更新要求を転送する。情報管理サーバ９の送受信部９１は、ゲートウェイ装置７からの位置情報更新要求を受信する。
【０１３７】
Ｓ１８：情報管理サーバ９の記憶・読出部９８は、記憶部９９に予め記憶されている通信端末５の端末識別情報と、受信した位置情報更新要求に含まれる端末識別情報とを関連付け、位置情報記憶部９９１に通信端末５の位置情報を記憶する。
【０１３８】
《出庫情報の通知処理》
出庫情報の通知処理は、出庫情報記憶部９９３に記憶される「出庫予定者」が管場所情報記憶部９９２に記憶される「出庫情報通知範囲」に入ったことを契機に実行される処理である。
【０１３９】
Ｓ１９：出庫情報生成部９６は、「出庫予定者」（の所有する通信端末５）の位置情報が、「出庫情報通知範囲」に含まれることを位置情報記憶部９９１に記憶される情報に基づき検知する。
【０１４０】
Ｓ２０：出庫情報生成部９６は、「出庫予定者」と、「出庫予定者」が検知された「出庫情報通知範囲」に対応する「物品保管場所名称」とを用いて、入出庫情報記憶部９９３に記憶される情報に基づき出庫情報を生成する。出庫情報生成部９６は、出庫情報を生成すると、出庫情報送信部９７に出庫予定者への出庫情報の送信処理を要求する。
【０１４１】
Ｓ２１：出庫情報送信部９７は、予め記憶されている出庫予定者の携帯端末６（通信端末５）の有するメールアドレスに対して出庫情報を、ネットワーク８０３を介して送信する。
【０１４２】
Ｓ２２：携帯端末６の出庫情報受信部６１が出庫情報を受信すると携帯端末６のディスプレイ６１６に図１８に示すような出庫情報を表示する。
【０１４３】
図１８は、本発明の実施の形態における携帯端末６に表示される出庫情報の画面の一例を示す図である。図１８に示すように、出庫情報には出庫予定者７０１、保管場所７０２、出庫予定物品７０３、通知コメント７０４、詳細７０５ボタン及び閉じる７０６ボタンが含まれる。図１８の例では、出庫予定者７０１が「ユーザＤ」の場合、出庫予定者に対して保管場所７０２「Ｘ棟２階Ｎ１倉庫棚１」に出庫予定物品７０３「部品ａ」が入庫されていることを示す情報が通知される。通知コメント７０４は、入出庫情報記憶部９９３に記憶される「出庫情報コメント」であり、入出庫管理システム１の管理者等による自由記述のメッセージである。詳細７０５ボタンがタッチパネル６１７を用いて押下されると、例えば図１５に示す入出庫情報管理画面のうち出庫予定者（ユーザＤ）に該当する情報が表示され、出庫情報に表示されていない情報（例えば物品の「出庫予定数量」等）を確認できる。閉じる７０６ボタンが押下されると、出庫情報の画面は閉じられる。
【０１４４】
図１７に戻り説明する。ステップＳ１９〜Ｓ２２の動作によって、出庫予定者は自分が出庫する物品の保管場所に近づく（出庫情報通知範囲内に位置する）と、物品や保管場所等に関する情報を携帯端末６（通信端末５）で受信でき、出庫作業の効率化を図ることができる。
【０１４５】
《入出庫情報の更新処理》
Ｓ２３：入出庫判定部９０は、通信端末５の位置情報及びこの通信端末５と他の通信端末５との位置関係に基づき位置情報記憶部９９１、保管場所情報記憶部９９２及び入出庫情報記憶部９９３に記憶される情報を参照し、物品が入出庫されたか否か及び入出庫者の判定処理を行う。入出庫判定部９０による入出庫判定処理の詳細手順は後述する図１９及び図２０により説明する。
【０１４６】
Ｓ２４：入出庫判定部９０は、判定した結果に基づき、入出庫情報記憶部９９３に記憶される情報を更新する。
【０１４７】
Ｓ２５：入出庫管理システム１の管理者により情報管理サーバ９の操作入力受付部９２を介して入出庫管理画面の表示要求を命令すると、入出庫管理画面生成部９５に入出庫管理画面の生成要求が通知される。
【０１４８】
Ｓ２６：入出庫管理画面生成部９５は、入出庫情報記憶部９９３に記憶される情報に基づき、図１５に示すような入出庫管理画面を生成する。入出庫管理画面生成部９５は入出庫管理画面を生成すると、表示制御部９４に生成した入出庫管理画面の表示処理を要求する。
【０１４９】
Ｓ２７：表示制御部９４は、生成された入出庫管理画面をディスプレイ９０８に表示する。
[フローチャート]
本発明の実施の形態における情報管理サーバ９の入出庫判定部９０により実行される入出庫時の判定処理について説明する。
【０１５０】
《入庫時の判定処理》
図１９は、本発明の実施の形態における情報管理サーバの入庫時の判定の処理手順の一例を示すフローチャート図である。
【０１５１】
Ｓ１０１：情報管理サーバ９の送受信部がゲートウェイ装置７を介して通信端末５から送信される位置情報及び端末識別情報を受信すると、位置情報記憶部９９１の中の受信した端末識別情報に対応する位置情報（最新位置情報）を記憶（更新）する。なお、このステップＳ１０１の処理は、通信端末５から位置情報が送信された場合に実行される処理、すなわち独立して動作する処理であるため、ステップＳ２０１の処理を経ず、ステップＳ２０２の処理が実行される場合もある。
【０１５２】
Ｓ１０２：入出庫判定処理部９０は、周期的（例えば４０秒周期）に位置情報記憶部９９１に記憶される情報の中から「最新位置情報」が同じである通信端末５が存在するか判定する。なお、このとき最新位置情報に含まれる受信日時の差が例えば６０秒以内であるもののみを抽出するようにしてもよい。これにより位置情報が長時間更新されていない通信端末５を除外できる。なお、この受信日時の差の値は任意である。また最新位置情報は同一である場合に限らず、例えばある通信端末の位置から一定の範囲内を同一と扱ってもよい。また、位置情報記憶部９９１に記憶される「最新位置情報」と「過去位置情報」とを比較し、両者の位置情報が同じものは対象外としてもよい。これにより一定時間以上、位置に変化がない（移動していない）通信端末５、すなわち過去にステップＳ１０３の処理が実行された通信端末５を処理対象から除外できる。
【０１５３】
位置情報記憶部９９１の中に、同じ場所に位置する（最新位置情報が同じ）通信端末５が存在しない場合（ＮＯの場合）、ステップＳ１０１以降の処理が実行される。
【０１５４】
一方、位置情報記憶部９９１の中に、同じ場所に位置する通信端末５が存在する場合（ＹＥＳの場合）、ステップＳ１０３の処理が実行される。
【０１５５】
Ｓ１０３：（ステップＳ１０２においてＹＥＳの場合、）通信端末５の位置情報は保管場所情報記憶部９９２に記憶される所定の場所（物品保管場所）に対応する位置情報と同じであるか否かが判定される。なお、通信端末５が物品保管場所の位置情報と一致する場合に限らず、通信端末５が物品保管場所の位置情報から一定の範囲内に存在すれば、所定の場所に位置するとして扱ってもよい。
【０１５６】
通信端末５の位置情報が保管場所情報９９２に記憶される所定の場所（物品保管場所）と同じでない場合（ＮＯ）、ステップＳ１０１以降の処理が実行される。
【０１５７】
一方、通信端末５の位置情報が保管場所情報９９２に記憶される所定の場所（物品保管場所）と同じである場合（ＹＥＳ）、ステップＳ１０４の処理が実行される。
【０１５８】
Ｓ１０４：（ステップＳ１０３においてＹＥＳの場合、）入出庫判定部９０は所定の時間（ステップＳ１０２における周期と同周期）が経過するまで待機する。
【０１５９】
Ｓ１０５：ステップＳ１０４における所定の時間が経過するまでの間に、通信端末５の位置情報を受信し、位置情報記憶部９９１の最新位置情報を更新する。なお、ステップＳ１０５の処理は通信端末５から位置情報が送信された場合に実行される処理、すなわち独立して動作する処理であるため、ステップＳ１０４における所定の時間が経過するまでに、通信端末５の位置情報を受信しない場合もある。
【０１６０】
Ｓ１０６：入出庫判定部９０は、位置情報記憶部９９１の最新位置情報と過去位置情報とを比較し、ステップＳ１０３において抽出した（所定の場所に位置した）全ての通信端末５が所定の場所（物品保管場所）から移動しているか否かを判定する。
【０１６１】
抽出した通信端末５のうち全てが所定の場所から移動している場合（ＹＥＳ）、すなわち物品保管場所に位置した通信端末５が存在しなくなった場合、ステップＳ１０１以降の処理が実行される。
【０１６２】
一方、抽出した通信端末５のうち全てが所定の場所から移動していない場合（ＮＯ）、すなわち一部又は全ての通信端末５が所定の場所に位置する場合、ステップＳ１０７の処理が実行される。
【０１６３】
Ｓ１０７：（ステップＳ１０６においてＮＯの場合、）ステップＳ１０３において抽出した通信端末５のうち一部の通信端末５が所定の場所から移動しているか否かが判定される。
【０１６４】
一部の通信端末が所定の場所から移動している場合（ＹＥＳ）、すなわち一部を除く他の通信端末５は所定の場所から移動していない場合、ステップＳ１０８の処理が実行される。
【０１６５】
一方、一部の通信端末が所定の場所から移動していない場合（ＮＯ）、すなわち全ての通信端末５が所定の場所から移動していない場合、ステップＳ１０９の処理が実行される。
【０１６６】
Ｓ１０８：（Ｓ１０７においてＹＥＳの場合）、所定の場所から移動していない通信端末５（ステップＳ１０７において一部を除く他の通信端末５）を「入庫された物品（に付された通信端末５）」として入出庫情報記憶部９９３に「入庫日時」、「入庫場所名称（物品保管場所名称）」を記憶する。なお「入庫された物品」の「物品名」は通信端末５の端末識別情報に基づき、位置情報記憶部９９１の「管理対象種別」から取得する。一方、所定の場所から移動した通信端末５を「入庫した人（入庫者）（の所有する通信端末５）」として入出庫情報記憶部９９３の「入庫者」に、この通信端末５の端末識別情報に基づき位置情報記憶手段９９１に記憶される「端末所有者名」を取得し記憶する。
【０１６７】
Ｓ１０９：（Ｓ１０７においてＮＯの場合）、所定の場所から移動していない通信端末５（ステップＳ１０３で抽出した全ての通信端末５）を「入庫された物品（に付された通信端末５）」として入出庫情報記憶部９９３に「入庫日時」、「入庫場所名称（物品保管場所名称）」を記憶する。
【０１６８】
上述した処理手順により、複数の通信端末５の位置の関係に基づき、通信端末５が付された物品が入庫されたか否かを判定し、かつ入庫された物品がある場合、入庫した人（入庫者）を特定できる。
【０１６９】
なお、ステップＳ１０８において、入庫者を特定する際に位置情報記憶手段９９１の中の管理対象種別を参照し、通信端末５が付される対象が「物品」であるか又は物品以外の作業者等の所有する「携帯端末」もしくは「ＩＤカード」であるかを参照してもよい。これにより、通信端末５が入庫者の所有する通信端末５（携帯端末やＩＤカード等）である場合にその通信端末５の所有者を入庫者とすれば、より正確に入庫者を管理できる。
【０１７０】
《出庫時の判定処理》
図２０は、本発明の実施の形態における情報管理サーバの出庫時の判定の処理手順の一例を示すフローチャート図である。図２０の例の初期状態では、通信端末５が付された物品が所定の場所（物品保管場所）に入庫されている状態である。
【０１７１】
Ｓ２０１：情報管理サーバ９の送受信部がゲートウェイ装置７を介して通信端末５から送信される位置情報及び端末識別情報を受信すると、位置情報記憶部９９１の中の受信した端末識別情報に対応する位置情報（最新位置情報）を記憶（更新）する。なお、このステップＳ２０１の処理は、通信端末５から位置情報が送信された場合に実行される処理、すなわち独立して動作する処理であるため、ステップＳ２０１の処理を経ず、ステップＳ２０２の処理が実行される場合もある。
【０１７２】
Ｓ２０２：入出庫判定部９０は、出庫情報記憶部９９３に記憶される出庫予定者の所有する通信端末５が、保管情報記憶部９９２に記憶される所定の場所（物品保管場所）から一定の範囲（出庫情報通知範囲）内に位置するか否かを周期的（例えば４０秒周期）に判定する。具体的な処理は、まず出庫情報記憶部９９３に記憶される出庫予定者に対応する通信端末５の端末識別情報を位置情報記憶部９９１の中から検索する。次いで、その検索された通信端末５の端末識別情報に対応する最新位置情報が、保管場所情報記憶部９９２に記憶される出庫情報通知範囲内に含まれるか否かが判定される。
【０１７３】
出庫予定者の通信端末５が所定の場所から一定の範囲（出庫情報通知範囲）内にあると判定された場合（ＹＥＳ）、ステップＳ２０３の処理が実行される。
【０１７４】
一方、出庫予定者の通信端末５が所定の場所から一定の範囲（出庫情報通知範囲）内にないと判定された場合（ＮＯ）、ステップＳ２０５の処理が実行される。
【０１７５】
Ｓ２０３：（ステップＳ２０２においてＹＥＳの場合、）入出庫判定部９０は、出庫予定者の通信端末５が一定の範囲（出庫情報通知範囲）内から一定時間（例えば３秒間）移動していないか否かを判定する。ここで、通信端末５が備える加速度センサ４０５により通信端末の移動が検知されると、通信端末５から情報管理サーバ９に位置情報の更新要求が送信される。すなわち、通信端末５が一定の範囲（出庫情報通知範囲）内から移動していない場合は、情報管理サーバ９において通信端末５の位置情報を受信しない。この処理（ステップＳ２０３）は、例えば出庫予定者が、自分が出庫する予定の物品の前を単に通過した場合には出庫情報を通知しないようにするために行われる。なお、ステップＳ２０３の処理は任意であり、ステップＳ２０２の処理後（ＹＥＳの場合）、ステップＳ２０４の処理が実行されるようにしてもよい。
【０１７６】
出庫予定者の通信端末５が一定の範囲（出庫情報通知範囲）内から一定時間（例えば３秒間）移動していないと判定された場合（ＹＥＳ）、ステップＳ２０４の処理が実行される。
【０１７７】
一方、出庫予定者の通信端末５が一定の範囲（出庫情報通知範囲）内から一定時間（例えば３秒間）内に移動していると判定された場合（ＹＥＳ）、ステップＳ２０５の処理が実行される。
【０１７８】
Ｓ２０４：（ステップＳ２０３においてＹＥＳの場合、）出庫情報生成部９６は、入手庫情報記憶部９９３から出庫予定者に対応する出庫する物品に関する出庫情報（図１８参照）を生成する。具体的な処理は、まず出庫情報生成部９６は、出庫予定者の位置（出庫情報通知範囲）に基づき、保管場所情報記憶部９９２から物品保管場所名称を特定する。そして、出庫予定者と物品保管場所名称とに基づき、入出庫情報記憶部９９３から出庫情報の生成に必要な情報（物品名、出庫情報コメント等）を抽出し、出庫情報を生成する。出庫情報生成部９６は生成した出庫情報の送信処理を出庫情報送信部９７に要求する。出庫情報送信部９７はネットワーク８０３を介して出庫予定者の携帯端末６に出庫情報を送信する。なお、出庫情報の送信は、予め情報管理サーバ９に記憶された携帯端末６のメールアドレス等を用いて実行される。
【０１７９】
Ｓ２０５：入出庫判定部９０は、所定の場所（物品保管場所）に位置していた物品に付された通信端末５の位置がこの所定の場所（物品保管場所）から移動しているか否かを周期的（例えば４０秒周期）に判定する。具体的な処理は、まず入出庫情報記憶部９９３に記憶される通信端末５の端末識別情報のうち出庫されていない（出庫日時が記録されていない）端末識別情報と物品保管場所名称とを抽出する。次いで、位置情報記憶部９９１から抽出した通信端末５の端末識別情報に対応する最新位置情報と、保管場所情報記憶部９９２から抽出した物品保管場所名称に対応する位置（緯度、経度）とを抽出する。そして、抽出した最新位置情報と、物品保管場所名称に対応する位置（緯度、経度）とを比較し、両者の位置が異なっていれば通信端末５の位置が所定の場所から移動したと判定される。
【０１８０】
所定の場所（物品保管場所）に位置していた物品に付された通信端末５の位置がこの所定の場所（物品保管場所）から移動していると判定された場合（ＹＥＳ）、ステップＳ２０６の処理が実行される。
【０１８１】
一方、所定の場所（物品保管場所）に位置していた物品に付された通信端末５の位置がこの所定の場所（物品保管場所）から移動していないと判定された場合（ＮＯ）、ステップＳ２０１以降の処理が実行される。
【０１８２】
Ｓ２０６：（ステップＳ２０５においてＹＥＳの場合、）入出庫判定部９０は、所定の場所（物品保管場所）にあった通信端末５と同じ位置のまま（一緒に）移動している他の通信端末５があるか否かを判定する。具体的な処理は、まずステップＳ２０５において特定された所定の場所から移動した通信端末５の端末識別情報の最新位置情報と同じ位置情報を有する他の通信端末５が存在するか否かを、位置情報記憶部９９１を用いて判定する。
【０１８３】
一緒に移動している他の通信端末があると判定された場合（ＹＥＳ）、ステップＳ２０７の処理が実行される。
【０１８４】
一方、一緒に移動している他の通信端末がないと判定された場合（ＮＯ）、ステップＳ２０９の処理が実行される。
【０１８５】
Ｓ２０７：（ステップＳ２０６においてＹＥＳの場合、）入出庫判定部９０は、位置情報記憶部９９１に記憶される他の通信端末５の過去位置情報が、保管場所情報記憶部９９２に記憶される所定の場所（物品保管所場所）の位置情報（緯度、経度）と異なるか否かを判定する。すなわち、他の通信端末の過去位置情報が所定の場所（物品保管場所）の位置情報と同じであった場合は他の通信端末は物品であると推定される。また、他の通信端末の過去位置情報が所定の場所（物品保管場所）の位置情報と異なる場合は物品を出庫した作業者等が所有する通信端末５であると推定される。
【０１８６】
他の通信端末の過去位置情報が所定の場所（物品保管場所）の位置情報と異なる場合（ＹＥＳ）、ステップＳ２０８の処理が実行される。
【０１８７】
一方、他の通信端末の過去位置情報が所定の場所（物品保管場所）の位置情報と同じである場合（ＮＯ）、ステップＳ２０９の処理が実行される。
【０１８８】
Ｓ２０８：（ステップＳ２０７においてＹＥＳの場合、）入出庫判定部９０は、所定の場所(物品保管場所)にあった通信端末５を「出庫された物品(に付された通信端末５)」として出庫された時間（ステップＳ２０５における最新位置情報の受信日時）を、入出庫情報記憶部９９３に、出庫日時として記憶する。そして、一緒に移動した通信端末５を「出庫した人(の通信端末５)」に対応する位置情報記憶部９９１の中の端末所有者名を、入出庫情報記憶部９９３に出庫者として記憶する。
【０１８９】
Ｓ２０９：（ステップＳ２０６又はＳ２０７においてＮＯの場合、）入出庫判定部９０は、所定の場所(物品保管場所)にあった通信端末５を「出庫された物品(に付された通信端末５)」として出庫された時間（ステップＳ２０５における最新位置情報の受信日時）を、入出庫情報記憶部９９３に、出庫日時として記憶する。
【０１９０】
なお、ステップＳ２０７において、出庫者を特定する際に位置情報記憶手段９９１の中の管理対象種別を参照し、通信端末５が付される対象が「物品」であるか又は物品以外の作業者等の所有する「携帯端末」もしくは「ＩＤカード」であるかを参照してもよい。これにより、通信端末５が出庫者の所有する通信端末５（携帯端末やＩＤカード等）である場合にその通信端末５の所有者を出庫者とすれば、より正確に出庫者を管理できる。
【０１９１】
上述した処理手順に基づき、本発明の実施の形態における入出庫管理システム１は、物品に付された通信端末５の位置情報と、人（作業者等）が所有する通信端末５の位置情報との関係に基づき、物品の入出庫の状況及び入出庫した人を管理できる。これにより、人と物品とを対応付け、物流作業の工程全体の効率的な管理が可能となる。
【０１９２】
また、入出庫管理システム１は、出庫予定者が出庫する物品の保管場所に近づくとその出庫予定者に対して、出庫する物品の存在や出庫時の連絡事項等が通知されるため、出庫対象物品の確認作業の効率化や正確性の向上を図ることができる。
〔変形例〕
なお、本発明の実施の形態において、情報管理サーバ９は通信端末５の位置情報を管理する機能と通信端末５が付された物品の入出庫の状況を管理する機能とを有するが、例えば、これらの機能を別のサーバ（装置）にそれぞれ具備させてもよい。これらの機能を異なるサーバに具備させた場合、通信端末５の位置情報を管理する位置情報管理サーバは、送信部９１、検索部９３及び位置情報記憶部９９１等を有する。一方、物品の入出庫状況を管理する入出庫管理サーバは、入出庫判定部９０、入出庫管理画面生成部９５、出庫情報生成部９６、出庫情報送信部９７、保管場所情報記憶部９９２及び入出庫情報記憶部９９３等を有する。なお上記以外の機能は各サーバが共通で具備する。例えば位置情報を管理する位置情報管理サーバをある建物毎に設置し、建物内の通信端末５の位置情報を管理する。そして入出庫管理サーバは、ある集約拠点に設置する。これにより複数の建物の物品の在庫（入出庫）状況を一元的に管理できる。
【０１９３】
なお、本発明の実施の形態において、位置情報を通信端末５に配信する配信装置３を屋内の天井に設置しているが、配信装置３の設置場所は天井に限らず、例えば物品を保管する棚毎に設置してもよい。この場合、配信装置３から配信される位置情報の指向性を棚等に限定するように調整したり、また、配信される位置情報には棚に関する情報（例えば棚ＩＤ）を含めたりする。これにより、より細やかな物品の在庫（入出庫）管理を実現できる。
【０１９４】
以上、本発明の実施の形態について詳述したが、本発明はかかる特定の実施の形態に限定されるものではなく、特許請求の範囲に記載された本発明の要旨の範囲内において、種々の変形、変更が可能である。
【符号の説明】
【０１９５】
１        入出庫管理システム
３        配信装置
５        通信端末
６        携帯端末
７        ゲートウェイ装置
９        情報管理サーバ
１４      制御部
１５      無線通信部
４０      受信制御部
５０      無線通信制御部
７０      無線通信制御部
８０      有線通信制御部
９０      入出庫判定部
９１      送受信部
９２      操作入力受付部
９５      入出庫管理画面生成部
９６      出庫情報生成部
９７      出庫情報送信部
９９      記憶部
９９１    位置情報記憶部
９９２    保管場所情報記憶部
９９３    入出庫情報記憶部
【先行技術文献】
【特許文献】
【０１９６】
【特許文献１】特開２０１２−１５８４５５
【図１】
2014084177.tif 000003
【図２】
2014084177.tif 000004
【図３】
2014084177.tif 000005
【図４】
2014084177.tif 000006
【図５】
2014084177.tif 000007
【図６】
2014084177.tif 000008
【図７】
2014084177.tif 000009
【図８】
2014084177.tif 000010
【図９】
2014084177.tif 000011
【図１０】
2014084177.tif 000012
【図１１】
2014084177.tif 000013
【図１２】
2014084177.tif 000014
【図１３】
2014084177.tif 000015
【図１４】
2014084177.tif 000016
【図１５】
2014084177.tif 000017
【図１６】
2014084177.tif 000018
【図１７】
2014084177.tif 000019
【図１８】
2014084177.tif 000020
【図１９】
2014084177.tif 000021
【図２０】
2014084177.tif 000022